(57)【要約】【課題】撮像信号のフレームレートを変更する場合でも一定の画角を保つことができる撮像装置を提供する。【解決手段】倍率設定部２は、レンズ１の倍率を設定する。フレームレート設定部４は撮像信号のフレームレートおよび撮像素子３の画素信号の読出し領域の大きさを設定する。テーブル記憶部５は、レンズ１の倍率、撮像素子３の読出し領域の大きさ、および撮像フレームレートの対応関係を示すテーブルを記憶する。撮像信号に基づいた画像の画角が一定となるように、レンズ１の倍率、撮像素子３の読出し領域の大きさ、およびフレームレートが制御される。【選択図】図１
2008252461.tif 000002
【特許請求の範囲】
【請求項１】
被写体からの光を結像する結像レンズと、
前記結像レンズによって結像された光像に応じた画素信号を蓄積し、前記画素信号を読み出して撮像信号として出力する撮像手段と、
前記結像レンズの倍率を制御するレンズ倍率制御手段と、
前記画素信号の読出し領域の大きさを制御する読出し領域制御手段と、
前記撮像信号のフレームレートを制御するフレームレート制御手段と、
を備え、前記撮像信号に基づいた画像の画角が一定となるように、前記結像レンズの倍率、前記読出し領域の大きさ、および前記フレームレートが制御される
ことを特徴とする撮像装置。
【請求項２】
前記読出し領域制御手段は、前記結像レンズの倍率に基づいて、画角が一定となるように前記読出し領域の大きさを制御することを特徴とする請求項１に記載の撮像装置。
【請求項３】
前記レンズ倍率制御手段は、前記読出し領域の大きさに基づいて、画角が一定となるように前記結像レンズの倍率を制御することを特徴とする請求項１に記載の撮像装置。
【請求項４】
前記結像レンズはズーム機構を有しており、前記読出し領域制御手段は、前記ズーム機構のズーム量に応じて前記読出し領域の大きさを制御することを特徴とする請求項２に記載の撮像装置。
【請求項５】
前記結像レンズは変倍機構を有しており、前記読出し領域制御手段は、前記変倍機構の倍率に応じて前記読出し領域の大きさを制御することを特徴とする請求項２に記載の撮像装置。
【請求項６】
前記結像レンズの倍率を変化させながら撮影を行うことにより生成された複数の画像から、一定の画角に対応した画像領域を検出する領域検出手段と、
検出された前記画像領域に対応した前記読出し領域の大きさと前記結像レンズの倍率とを対応付けて記憶する記憶手段と、
をさらに備え、
前記読出し領域制御手段は、前記記憶手段が記憶する前記読出し領域の大きさと前記結像レンズの倍率との対応関係と、前記レンズ倍率制御手段が制御する前記結像レンズの倍率とに基づいて、前記読出し領域の大きさを制御する
ことを特徴とする請求項１、請求項２、請求項４、請求項５のいずれかに記載の撮像装置。
【請求項７】
前記結像レンズの倍率を変化させながら撮影を行うことにより生成された複数の画像から、一定の画角に対応した画像領域を検出する領域検出手段と、
検出された前記画像領域に対応した前記読出し領域の大きさと前記結像レンズの倍率とを対応付けて記憶する記憶手段と、
をさらに備え、
前記レンズ倍率制御手段は、前記記憶手段が記憶する前記読出し領域の大きさと前記結像レンズの倍率との対応関係と、前記読出し領域制御手段が制御する前記読出し領域の大きさとに基づいて、前記結像レンズの倍率を制御する
ことを特徴とする請求項１または請求項３に記載の撮像装置。
【発明の詳細な説明】
【技術分野】
【０００１】
本発明は、撮像信号のフレームレートを変更することが可能な撮像装置に関する。
【背景技術】
【０００２】
従来のテレビや映画等の映像制作においては、映像に特殊効果を持たせるために１秒間の撮影フレーム数つまりフレームレートを可変させた撮影が行われる。例えば、撮像信号のフレームレートを再生信号のフレームレートより速くして撮像を行うと、その再生信号のフレームレートで再生した映像はスローモーション映像になる。そして、撮像フレームレートを再生フレームレートに対して速くすればするほど、再生映像はより遅いスローモーション映像になり、特殊効果の影響が大きくなる。
【０００３】
従来から、撮像フレームレートの高速化を実現する手法として、撮像素子の駆動スピードを速くしたり、撮像素子から読み出す信号を複数のチャンネルに分割して同時に読み出したりすることにより、撮像素子からの信号の読出し時間を短縮し撮像フレームレートを速くする工夫がなされている。しかし、撮像素子の駆動スピードの高速化や出力チャンネルの多線化は、画質の劣化を招くことや、消費電力および回路規模の増大につながることから、装置を実現する上での課題は多い。そして、それらの工夫をしても、多画素化する撮像素子においては、全画素の信号を読み出す場合、撮像フレームレートは極端には増加しない。
【０００４】
また、撮像フレームレートの高速化を実現する別の手法として、撮像素子の画素を間引いて信号を読み出す、あるいは撮像素子の一部の領域の画素のみから信号を読み出すことで、出力画素数を少なくして撮像フレームレートを高速にする機能を備えた装置が提案されている。しかし、撮像素子の画素を間引いて読み出すと、画素ピッチの変化に伴い被写体の高周波成分がモアレとなって現れてしまい、画質が劣化する。そして、その高周波成分を除去するためにはフィルタ処理や画素の加算といった処理を行う回路の追加が必要となる。
【０００５】
撮像素子の一部の領域の画素のみから信号を読み出すことで撮像フレームレートの高速化を実現した装置は、例えば特許文献１に記載されている。特許文献１では、高解像度静止画モードと低解像度高フレームレート動画モードとを備え、高解像度静止画モード時には撮像素子の全画素から信号を読み出す静止画の撮影を行い、低解像度高フレームレート動画モード時には撮像素子の一部の領域の画素のみから信号を読み出し、撮像フレームレートを高速にする装置が提案されている。
【特許文献１】特開２００３−１５８６８４号公報
【発明の開示】
【発明が解決しようとする課題】
【０００６】
特許文献１のように撮像素子の読出し領域の大きさを小さくすることで、撮像フレームレートを高速にすることが可能となるが、特許文献１では、読出し領域の大きさを変化させると、撮像信号に基づいた画像の画角が変化するという問題がある。
【０００７】
本発明は、上述した課題に鑑みてなされたものであって、撮像信号のフレームレートを変更する場合でも一定の画角を保つことができる撮像装置を提供することを目的とする。
【課題を解決するための手段】
【０００８】
本発明は、上記の課題を解決するためになされたもので、被写体からの光を結像する結像レンズと、前記結像レンズによって結像された光像に応じた画素信号を蓄積し、前記画素信号を読み出して撮像信号として出力する撮像手段と、前記結像レンズの倍率を制御するレンズ倍率制御手段と、前記画素信号の読出し領域の大きさを制御する読出し領域制御手段と、前記撮像信号のフレームレートを制御するフレームレート制御手段とを備え、前記撮像信号に基づいた画像の画角が一定となるように、前記結像レンズの倍率、前記読出し領域の大きさ、および前記フレームレートが制御されることを特徴とする撮像装置である。
【０００９】
また、本発明の撮像装置において、前記読出し領域制御手段は、前記結像レンズの倍率に基づいて、画角が一定となるように前記読出し領域の大きさを制御することを特徴とする。
【００１０】
また、本発明の撮像装置において、前記レンズ倍率制御手段は、前記読出し領域の大きさに基づいて、画角が一定となるように前記結像レンズの倍率を制御することを特徴とする。
【００１１】
また、本発明の撮像装置において、前記結像レンズはズーム機構を有しており、前記読出し領域制御手段は、前記ズーム機構のズーム量に応じて前記読出し領域の大きさを制御することを特徴とする。
【００１２】
また、本発明の撮像装置において、前記結像レンズは変倍機構を有しており、前記読出し領域制御手段は、前記変倍機構の倍率に応じて前記読出し領域の大きさを制御することを特徴とする。
【００１３】
また、本発明の撮像装置は、前記結像レンズの倍率を変化させながら撮影を行うことにより生成された複数の画像から、一定の画角に対応した画像領域を検出する領域検出手段と、検出された前記画像領域に対応した前記読出し領域の大きさと前記結像レンズの倍率とを対応付けて記憶する記憶手段とをさらに備え、前記読出し領域制御手段は、前記記憶手段が記憶する前記読出し領域の大きさと前記結像レンズの倍率との対応関係と、前記レンズ倍率制御手段が制御する前記結像レンズの倍率とに基づいて、前記読出し領域の大きさを制御することを特徴とする。
【００１４】
また、本発明の撮像装置は、前記結像レンズの倍率を変化させながら撮影を行うことにより生成された複数の画像から、一定の画角に対応した画像領域を検出する領域検出手段と、検出された前記画像領域に対応した前記読出し領域の大きさと前記結像レンズの倍率とを対応付けて記憶する記憶手段とをさらに備え、前記レンズ倍率制御手段は、前記記憶手段が記憶する前記読出し領域の大きさと前記結像レンズの倍率との対応関係と、前記読出し領域制御手段が制御する前記読出し領域の大きさとに基づいて、前記結像レンズの倍率を制御することを特徴とする。
【発明の効果】
【００１５】
本発明によれば、撮像信号に基づいた画像の画角が一定となるように、結像レンズの倍率、読出し領域の大きさ、およびフレームレートが制御されるので、撮像信号のフレームレートを変更する場合でも一定の画角を保つことができるという効果が得られる。
【発明を実施するための最良の形態】
【００１６】
以下、図面を参照し、本発明の実施形態を説明する。
【００１７】
（第１の実施形態）
まず、本発明の第１の実施形態を説明する。図１は、本実施形態による撮像装置の構成を示している。図１において、レンズ１（結像レンズ）は、変倍光学系（図示せず）を含む例えばズーム機構を備えたレンズであり、被写体（図示せず）からの光を集光および結像する。レンズ１は、ズーム機構以外にもエクステンダやコンバーターのような変倍機構を有するものであれば適用可能である。レンズ１によって結像された光像は撮像素子３に入射する。
【００１８】
倍率設定部２は、レンズ１の変倍光学系を制御することによって、撮像倍率を制御する。撮影者は、設定したいレンズ１の倍率を倍率設定部２に入力することが可能である。撮像素子３（撮像手段）は、ブロック読出しが可能な、例えばXYアドレス型の固体撮像素子である。この撮像素子３は、入射した光像を光電変換した画素信号を各画素内に蓄積し、この画素信号を読み出して撮像信号として出力する。
【００１９】
フレームレート設定部４は撮像信号のフレームレートの設定を行う。また、フレームレート設定部４は、設定した撮像フレームレートに対応する撮像素子３の画素信号の読出し領域の大きさの設定も行う。撮影者は、設定したい撮像フレームレートおよび撮像素子３の読出し領域の大きさをフレームレート設定部４に入力することが可能である。テーブル記憶部５（記憶手段）は、レンズ１の倍率、撮像素子３の読出し領域の大きさ、および撮像フレームレートの対応関係を示すテーブルを記憶する。
【００２０】
駆動制御部６は、撮像素子３の駆動タイミングや電荷蓄積時間等の制御を行うものであり、フレームレート設定部４によって設定された撮像フレームレートや撮像素子３の読出し領域の大きさに従って撮像素子３を駆動し、種々のフレームレートの撮像信号を出力させる。撮像素子３から出力される撮像信号のフレームレートは、例えばフレームレート設定部４によって設定された撮像素子３の読出し領域の大きさ（画素数）に応じて駆動制御部６が水平同期信号や垂直同期信号の周期を変更して１フレームの期間長を調整することにより、変更される。
【００２１】
また、駆動制御部６は、水平同期信号と垂直同期信号の各ブランキング（回帰）期間の時間を変更することで、撮像素子３の読出し領域の大きさを変えずに撮像フレームレートを変更することも可能である。例えば、撮像素子３の読出し領域が水平９６０画素、垂直５４０画素である場合、各ブランキング期間を最短にすると撮像フレームレートは例えば毎秒３８４フレームであるが、ブランキング期間を長くすると、読出し領域が水平９６０画素、垂直５４０画素のまま撮像フレームレートを毎秒３８４フレームよりも遅くすることが可能である。
【００２２】
信号処理部７は、撮像素子３から出力された撮像信号に対して、画像を良好にするためのノイズ除去や信号レベルの増幅処理等の信号処理を行い、映像信号として出力する。通信部８は倍率設定部２とフレームレート設定部４との間で情報を相互に通信する。例えば、倍率設定部２が設定したレンズ１の倍率の情報をフレームレート設定部４へ伝送し、またはフレームレート設定部４がテーブル記憶部５から読み出したレンズ１の倍率の情報を倍率設定部２へ伝送する。
【００２３】
倍率設定部２およびフレームレート設定部４が本発明のレンズ倍率制御手段に対応している。また、フレームレート設定部４および駆動制御部６が本発明の読出し領域制御手段およびフレームレート制御手段に対応している。
【００２４】
次に、撮像素子３の読出し領域と撮影画角の関係を説明する。図２は、レンズ１の倍率を固定したまま撮像素子３の読出し領域の大きさを変化させた場合の撮影画角の様子を示している。例えば、撮像素子３の有効画素領域２００が水平３８４０画素、垂直２１６０画素で構成されているとする。撮像素子３の読出し領域を全画素に設定した場合、有効画素領域２００の全体から読み出した画素信号に基づいた画像２１０が生成される。また、撮像素子３の読出し領域を水平垂直共に有効画素領域２００の１／２に設定した場合、読出し領域２２０は水平１９２０画素、垂直１０８０画素で構成される領域となり、画像２１０の１／４の大きさの画像２３０が生成される。
【００２５】
このとき、撮像素子３の読出し領域の大きさが変化しても、読出し領域の中心画素は常に撮像素子３の中心画素で固定されるものとする。画像２１０，２３０から分かるように、撮像素子３の読出し領域が１／４に設定されたときの撮影画角は水平垂直共に、撮像素子３の読出し領域が全画素に設定されたときの撮影画角の１／２になっている。このように撮像素子３の読出し領域の大きさを変更することにより、撮影画角を変化させることが可能になる。
【００２６】
また、撮像素子３は、読出し領域を任意に小さく変更することが可能であり、読出し画素数を少なくすることで撮像フレームレートを速く（高く）することが可能である。例えば、撮像素子３の駆動周波数が２００ＭＨｚ、撮像素子３の読出し画素数が水平３８４０画素、垂直２１６０画素である場合、撮像フレームレートは毎秒２４フレームとなる。また、撮像素子３の読出し画素数が水平１９２０画素、垂直１０８０画素である場合、撮像フレームレートは毎秒９６フレームとなる。また、撮像素子３の読出し画素数が水平９６０画素、垂直５４０画素である場合、撮像フレームレートは毎秒３８４フレームとなる。
【００２７】
次に、レンズ１の倍率と撮影画角の関係を説明する。図３は撮像素子３の読出し領域を全画素に設定して被写体を撮像している状態でレンズ１の倍率を変化させた場合の撮影画角の様子を示している。撮像素子３の読出し領域が有効画素領域と同じ状態で被写体を撮像すると、画像３００が生成される。この状態でレンズ１の倍率を１／２にした場合、撮影画角は水平垂直共に２倍に広がり、画像３１０が生成される。破線３２０は、レンズ１の倍率を変化させる前の撮影画角と等しくなる倍率変化後の撮影画角を示している。被写体と撮像装置の位置関係が変化しないとすると、破線３２０で囲まれた領域は、水平１９２０画素、垂直１０８０画素で構成される領域、すなわち有効画素領域の１／４の領域と等しくなる。
【００２８】
上記のことから、レンズ１の倍率を広角（ワイド）側へ１／２倍に変化させると共に撮像素子３の読出し領域を１／４に変化させた状態と、レンズ１の倍率および撮像素子３の読出し領域をそのように変化させる前の状態とを比較すると、撮影画角に対する被写体サイズの割合が等しい、つまり被写体サイズに対する撮影画角が同一となる。また、撮像素子３の読出し領域を全画素の１／４に設定した場合、読出し領域を全画素に設定した場合の４倍の撮像フレームレートで撮像することが可能となる。したがって、レンズ１の倍率に対応して、撮影画角が一定となるように撮像素子３の読出し領域の大きさを設定することによって、撮像フレームレートを変更して撮像することが可能となる。
【００２９】
次に、本実施形態におけるレンズ１の倍率、撮像素子３の読出し領域の大きさ、および撮像フレームレートの設定方法を説明する。以下、レンズ１のズーム比が４倍の場合について説明するが、レンズ１のズーム比は４倍以外でもよい。図４は、被写体サイズに対する撮影画角が変化しないようにレンズ１の倍率（レンズ倍率）と読出し領域をそれぞれ変更したときに撮像装置で設定可能な撮像フレームレートを示している。
【００３０】
図４の横軸はレンズ倍率および読出し領域の大きさを表し、縦軸は撮像フレームレートを表している。図中のＡ点は、レンズ倍率が４倍で最も望遠側にあり、撮像素子３の読出し領域が水平３８４０画素、垂直２１６０画素の全画素に設定されていることを示している。そのときの撮像フレームレートは毎秒２４フレームである。Ｂ点は、レンズ倍率が望遠端より１/２倍広角側に移動した２倍に設定され、撮像素子３の読出し領域が水平１９２０画素、垂直１０８０画素で全体の１/４に設定されていることを示している。そのときの撮像フレームレートはＡ点での撮像フレームレートの４倍の毎秒９６フレームである。Ｃ点は、レンズ倍率が望遠端より１/４倍広角側に移動した１倍の広角端に設定され、撮像素子３の読出し領域が水平９６０画素、垂直５４０画素で全体の１/１６に設定されていることを示している。そのときの撮像フレームレートはＡ点での撮像フレームレートの１６倍の毎秒３８４フレームである。
【００３１】
テーブル記憶部５には、上記のようなレンズ１の倍率、撮像素子３の読出し領域の大きさ、および撮像フレームレートの対応関係を示すテーブルが格納されている。撮影者の指示により倍率設定部２がレンズ１の倍率を変更した場合、その情報は通信部８を介してフレームレート設定部４へ送られる。フレームレート設定部４は、テーブル記憶部５に格納されているテーブルから、変更後のレンズ１の倍率に対応した撮像素子３の読出し領域の大きさおよび撮像フレームレートを読み出し、それらの値を駆動制御部６に設定する。駆動制御部６は、設定された値に基づいて撮像素子３を駆動する。これによって、レンズ１の倍率の変更に合わせて、撮影画角を変化させずに読出し領域の大きさおよび撮像フレームレートを変更することが可能となる。
【００３２】
撮影者が所望の読出し領域の大きさ（撮像画素数）や撮像フレームレートを指定して撮影を行うことも可能である。撮影者が撮像素子３の読出し領域の大きさをフレームレート設定部４に入力した場合、フレームレート設定部４は、テーブル記憶部５に格納されているテーブルから、入力された撮像素子３の読出し領域の大きさに対応したレンズ１の倍率および撮像フレームレートを読み出し、それらの値を駆動制御部６に設定する。駆動制御部６は、設定された値に基づいて撮像素子３を駆動する。また、フレームレート設定部４がテーブルから読み出したレンズ１の倍率の情報は、通信部８を介して倍率設定部２に送られる。倍率設定部２は、その情報に基づいてレンズ１の倍率を設定する。
【００３３】
また、撮影者が撮像フレームレートをフレームレート設定部４に入力した場合、フレームレート設定部４は、テーブル記憶部５に格納されているテーブルから、入力された撮像フレームレートに対応したレンズ１の倍率および撮像素子３の読出し領域の大きさを読み出し、それらの値を駆動制御部６に設定する。駆動制御部６は、設定された値に基づいて撮像素子３を駆動する。このとき、設定された撮像フレームレートを実現する最大の読出し領域から信号が読み出されるように、つまり水平および垂直の各ブランキング期間が最短となる同期信号で撮像素子３が駆動するように、駆動制御部６が撮像素子３を制御する。また、フレームレート設定部４がテーブルから読み出したレンズ１の倍率の情報は、通信部８を介して倍率設定部２に送られる。倍率設定部２は、その情報に基づいてレンズ１の倍率を設定する。
【００３４】
図５は、図４のＡ点、Ｂ点、Ｃ点において撮像素子３の読出し領域を固定したまま、読出しの各同期信号のブランキング期間を可変にした場合の撮像フレームレートを表している。撮像素子３の最も遅い撮像フレームレートは毎秒１フレームであり、Ａ点では毎秒１〜２４フレーム、Ｂ点では毎秒２４〜９６フレーム、Ｃ点では毎秒９６〜３８４フレームの範囲で撮像フレームレートを選択することが可能となっている。
【００３５】
レンズ１の倍率の変更内容が予め決まっている場合には、図５に示した内容のテーブルを用いて、設定される読出し領域の大きさに応じて撮像フレームレートを独立に制御して撮影を行ってもよい。レンズ１の倍率が固定されているときは、読出し領域の大きさに応じた解像度を一定としたまま撮像フレームレートを制御することが可能となる。
【００３６】
上述したように、本実施形態によれば、撮影画角が一定となるように、レンズ１の倍率、撮像素子３の読出し領域の大きさ、および撮像フレームレートが制御されるので、撮像フレームレートを変更する場合でも一定の撮影画角を保つことができる。
【００３７】
（第２の実施形態）
次に、本発明の第２の実施形態を説明する。第１の実施形態による撮像装置をレンズ交換式の装置に適用することも可能であるが、倍率精度や収差による像湾曲といったレンズの個体差による影響もあり、実際には被写体サイズに対する撮影画角が一定になるようにレンズ１の倍率と読出し領域の大きさを独立に設定しようとしても、必ずしもレンズ１の倍率の線形変化に対応して読出し領域の大きさが線形に変化するとは限らない。そこで、本実施形態による撮像装置では、レンズ１の個体差を含んだレンズ１の倍率と、それに対応した読出し領域の大きさを記録しておくことで、種々のレンズを用いた場合でも、被写体サイズに対する撮影画角を一定とすることが可能となる。
【００３８】
図６は、本実施形態による撮像装置の構成を示している。本実施形態では、画像領域検出部９が設けられている。画像領域検出部９（領域検出手段）は、信号処理部７によって処理された撮像信号（映像信号）に基づいた画像から、所定の条件を満たす画像領域を検出する。また、本実施形態のテーブル記憶部５には、図７に示す内容のテーブルが格納されている。このテーブルは、一定の撮影画角を実現するレンズ１の倍率（レンズ倍率）と撮像素子３の読出し領域の大きさとを対応付けたものである。また、このテーブルは、レンズ１の固体差が反映されたものであり、予め以下のようにして作成される。
【００３９】
まず、図８（ａ）に示すような、周辺が黒色となっており、中心が撮像素子３のアスペクト比と等しいサイズでムラの少ない白色となっているテストチャート８００を用意する。そして、レンズ１の倍率が望遠端の状態で撮影したときに、テストチャート８００の白色の領域８１０が画角全体を占めるようにテストチャート８００を配置し、レンズ１の倍率を望遠端から広角端まで変化させながらテストチャート８００の撮影を複数回行う。このとき、撮像素子３の読出し領域を全画素に設定しておく。
【００４０】
撮影画像におけるテストチャート８００の領域８１０は、図８（ｂ）に示すように、レンズ１の倍率の変化に応じて変化する。すなわち、レンズ１の倍率が望遠端の状態で撮影を行った場合には、テストチャート８００の領域８１０が結像する領域は撮像素子３の有効画素領域８２０と同じとなり、レンズ１の倍率が広角端の状態で撮影を行った場合には、テストチャート８００の領域８１０が結像する領域は領域８３０となる。
【００４１】
画像内でテストチャート８００の領域８１０は、各画素の輝度レベルが所定の閾値以上である画素からなる領域として検出することが可能である。画像領域検出部９は、複数回の撮影により生成された各画像から、テストチャート８００の領域８１０を検出し、その大きさと、各画像を撮像したときのレンズ１の倍率とを対応付けてテーブル記憶部５に格納する。以上のようにして、図７に示す内容のテーブルが作成される。このテーブルを用いた撮像装置の動作は第１の実施形態と同様である。
【００４２】
上述したように、本実施形態によれば、レンズ１の個体差によらず、撮影画角を一定に保つことができる。
【００４３】
以上、図面を参照して本発明の実施形態について詳述してきたが、具体的な構成は上記の実施形態に限られるものではなく、本発明の要旨を逸脱しない範囲の設計変更等も含まれる。例えば、通信部８を介して倍率設定部２とフレームレート設定部４の間で伝送されるレンズ１の倍率や、テーブル記憶部５が記憶するレンズ１の倍率は、レンズ１が有するズーム機構のズーム量でもよい。あるいは、レンズ１がエクステンダやコンバーターのような変倍機構を有する場合には、その倍率でもよい。また、図８（ａ）のテストチャート８００の代わりに、ビュワー等のムラの少ない光源を撮像素子３と同アスペクト比のサイズでマスクしたものを使用してもよい。
【図面の簡単な説明】
【００４４】
【図１】本発明の第１の実施形態による撮像装置の構成を示すブロック図である。
【図２】本発明の第１の実施形態における撮影画角の様子を示す参考図である。
【図３】本発明の第１の実施形態における撮影画角の様子を示す参考図である。
【図４】本発明の第１の実施形態におけるレンズの倍率、撮像素子の読出し領域の大きさ、および撮像フレームレートの対応関係を示す参考図である。
【図５】本発明の第１の実施形態におけるレンズの倍率、撮像素子の読出し領域の大きさ、および撮像フレームレートの対応関係を示す参考図である。
【図６】本発明の第２の実施形態による撮像装置の構成を示すブロック図である。
【図７】本発明の第２の実施形態におけるレンズの倍率、撮像素子の読出し領域の大きさ、および撮像フレームレートを対応付けたテーブルの内容を示す参考図である。
【図８】本発明の第２の実施形態におけるテーブルの作成方法を説明するための参考図である。
【符号の説明】
【００４５】
１・・・レンズ、２・・・倍率設定部、３・・・撮像素子、４・・・フレームレート設定部、５・・・テーブル記憶部、６・・・駆動制御部、７・・・信号処理部、８・・・通信部、９・・・画像領域検出部
【図１】
2008252461.tif 000003
【図２】
2008252461.tif 000004
【図３】
2008252461.tif 000005
【図４】
2008252461.tif 000006
【図５】
2008252461.tif 000007
【図６】
2008252461.tif 000008
【図７】
2008252461.tif 000009
【図８】
2008252461.tif 000010